(57)【要約】【課題】変圧器等の電力変換機器を搭載する盤外形の大きいスイッチギヤの構成において、盤全体としての耐震性を向上する。【解決手段】変圧器等の電力変換機器１３を搭載する盤外形の大きいスイッチギヤ本体１０を含むスイッチギヤの構成を、電力変換機器１３を収容する主収納容器室１と、主収納容器室１の片側もしくは両側の側方に隣接して配置された隣接収納容器室２とから構成し、隣接収納容器室２の側面に剛性の高い筐体を有するコントロールセンタ５０からなる制御盤が配置され、コントロールセンタ５０からなる制御盤は隣接収納容器室２を介在して主収納容器室１と一体に結合される構成とした。【選択図】図１
2018196189.tif 000002
【特許請求の範囲】
【請求項１】
電力変換機器を収容する主収納容器室と、前記主収納容器室の側方に隣接して配置された隣接収納容器室とを備え、前記隣接収納容器室と並設して制御盤を配置するとともに、前記制御盤は前記隣接収納容器室を介在して前記主収納容器室と一体に結合されることを特徴とするスイッチギヤ。
【請求項２】
前記制御盤は前記主収納容器室よりも剛性の高い筐体を有することを特徴とする請求項１に記載のスイッチギヤ。
【請求項３】
前記隣接収納容器室は、前記電力変換機器の二次側母線に相当する延長母線と前記制御盤の母線位置を調整する機能を有することを特徴とする請求項１または請求項２に記載のスイッチギヤ。
【請求項４】
前記隣接収納容器室を、前側隣接収納容器副室と後側隣接収納容器副室とから構成し、前記前側隣接収納容器副室には前記主収納容器室に収容された前記電力変換機器を含む収納機器を制御する制御用機器が収容され、前記後側隣接収納容器副室には前記電力変換機器の二次側母線に相当する延長母線を収容するようにしたことを特徴とする請求項３に記載のスイッチギヤ。
【請求項５】
前記隣接収納容器室を前記主収納容器室の左右両側方に隣接して配置するとともに、前記両隣接収納容器室の各側面に前記主収納容器室よりも剛性の高い筐体を有する前記制御盤を配置するようにしたことを特徴とする請求項２に記載のスイッチギヤ。
【請求項６】
前記隣接収納容器室を前記主収納容器室の左右両側方に隣接して配置するとともに、前記両隣接収納容器室の各側面の一方に前記主収納容器室よりも剛性の高い筐体を有する前記制御盤を配置し、前記両隣接収納容器室の前後面の一方に前記主収納容器室よりも剛性の高い筐体を有する前記制御盤を配置したことを特徴とする請求項２に記載のスイッチギヤ。
【請求項７】
前記隣接収納容器室を前記主収納容器室の左右両側方に隣接して配置するとともに、前記両隣接収納容器室の各側面に前記主収納容器室よりも剛性の高い筐体を有する前記制御盤を配置し、前記制御盤を前記隣接収納容器室の各側面における前方側に配置される第１の制御盤と前記隣接収納容器室の各側面における後方側に配置される第２の制御盤とにより構成したことを特徴とする請求項２に記載のスイッチギヤ。
【請求項８】
前記制御盤を互いに並設された複数の制御盤ユニットで構成したことを特徴とする請求項１から請求項７までの何れかに記載のスイッチギヤ。
【発明の詳細な説明】
【技術分野】
【０００１】
この発明は、スイッチギヤに関わり、特に、電力変換機器など大型の機器を収容する主収納容器室と延長母線などを収容する隣接収納容器室とを備えたスイッチギヤに関するものである。
【背景技術】
【０００２】
容量の大きな変圧器を露出させて使用するためには、大きな隔離距離を設けることが法律上要求されている。変圧器、中性点接地抵抗器（ＮＧＲ：Neutral Grounding Resistor）、コンデンサ、変成器（ＶＣＴ：Voltage and Current Transformer）等の大型機器は、一般的には、省スペースで済むように、スイッチギヤに収められている（例えば特許文献１および特許文献２を参照）。
スイッチギヤは、一般に低圧から２万ボルト級の特別高圧に係る配電線を開閉したり、事故から保護するために、遮断器などを保護継電器などと一緒に金属製ボックスに収めたものである。
【０００３】
変圧器等の電力変換機器は、容量が大きければ大きいほど大型化するため、この電力変換機器を搭載するスイッチギヤも大型となりやすい。また、運用上、大型かつ容量が大きな電力変換機器は、単独では使用できず、他の機器との電路の形成が必要である。電路の形成を行う際に、外部からのケーブル接続を、隣に配置された別のスイッチギヤで行うことが一般的となっている。大型変換機器を搭載するスイッチギヤの内部には、電路を形成するためのスペースが必要となっている。
【０００４】
以上のように、電力変換機器を搭載するスイッチギヤは大型化する傾向にある。電力変換機器を搭載するスイッチギヤの構造的な特徴としては、次の点が挙げられる。電力変換機器を搭載するスイッチギヤは、現地据付する場合、現地で容易に電力変換機器をスイッチギヤの内部に収める必要があることから、構造上、大きな開口を有している。また、電力変換機器が搭載できる分だけの大きなスペースをスイッチギヤの内部に有している。
【０００５】
スイッチギヤが活用されている場所は、多岐にわたる。例えば、スイッチギヤは、原子力プラント等、安全上重大な施設でも利用されている。このような場所に適用されるスイッチギヤは、常に安定的に稼働し続けなければならない。すなわち、高い耐震性能が要求されており、このようなスイッチギヤには高い剛性を付加する必要がある。
【先行技術文献】
【特許文献】
【０００６】
【特許文献１】特開２０１０−６３２７０号公報
【特許文献２】特開２００３−１８９４２２号公報
【発明の概要】
【発明が解決しようとする課題】
【０００７】
上述のように、スイッチギヤに耐震性能が要求される場合、スイッチギヤに高い剛性を付加し補強する必要がある。現地据付を考慮すれば、大型の電力変換機器をスイッチギヤの内部に搬入するための大きな開口が必要となる。開口を有する箇所は剛性上の弱部となることから、そのような剛性上の弱部を補うために、スイッチギヤの内外に補強を設けるスペースが必要となる。その結果、電力変換機器を収納するスイッチギヤは大型になるという問題がある。
【０００８】
さらに、電路の開閉器を収納したスイッチギヤにおいては、開閉器として低圧気中遮断器や大型コンタクタを盤内に収納している。従い、スイッチギヤの外形が大きくなるため、スイッチギヤの耐震性を向上させることが困難であった。
【０００９】
従来の電源系統は、変圧器−パワーセンタ−コントロールセンタという構成であった。一般的に、変圧器とパワーセンタは隣接して配置されており、パワーセンタとコントロールセンタとはケーブルにて接続される。このうち、パワーセンタは開閉器として低圧気中遮断器が採用されている。従って、パワーセンタが大型となるため、盤の耐震性を向上させることが困難であった。
【００１０】
この発明は、上記のようなスイッチギヤにおける課題を解決するためになされたものであり、電力変換機器などの大型機器を搭載する主収納容器室を、高い剛性を有するコントロールセンタなどの制御盤と連結する構成を採ることで、スイッチギヤ配列全体での耐震性向上を目的としている。
【課題を解決するための手段】
【００１１】
この発明に係わるスイッチギヤは、電力変換機器を収容する主収納容器室と、前記主収納容器室の側方に隣接して配置された隣接収納容器室とを備え、前記隣接収納容器室と並設して制御盤を配置するとともに、前記制御盤は前記隣接収納容器室を介在して前記主収納容器室と一体に結合されるものである。
【発明の効果】
【００１２】
この発明のスイッチギヤによれば、電力変換機器を収容する主収納容器室の制御盤に対する接続関係を適切に確保した上で、主収納容器室についての補強を制御盤との一体結合による剛性向上によって着実に行うことができる。
【図面の簡単な説明】
【００１３】
【図１】この発明に係る実施の形態１におけるスイッチギヤ本体を含むスイッチギヤの構成を示す平面図である。
【図２】この発明に係る実施の形態１におけるスイッチギヤ本体の構成を示す平面図である。
【図３】この発明に係る実施の形態１による、電力変換機器の構成を示す正面図である。
【図４】この発明に係る実施の形態２におけるスイッチギヤ本体を含むスイッチギヤの構成を示す平面図である。
【図５】この発明に係る実施の形態３におけるスイッチギヤ本体を含むスイッチギヤの構成を示す平面図である。
【図６】この発明に係る実施の形態４におけるスイッチギヤ本体を含むスイッチギヤの構成を示す平面図である。
【発明を実施するための形態】
【００１４】
この発明に係る実施の形態におけるスイッチギヤについて、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、スイッチギヤは、実際にはさらに複数の部材を備えているが、説明を簡単にするため、説明に必要な部分のみを記載し、他の部分については省略している。
【００１５】
実施の形態１．
この発明に係る実施の形態１におけるスイッチギヤについて、図１から図３までを参照して説明する。図１は実施の形態１におけるスイッチギヤ本体を含むスイッチギヤの構成を示す平面図である。図２は実施の形態１におけるスイッチギヤ本体の構成を示す平面図である。図３は実施の形態１における電力変換機器の構成を示す正面図である。
図１では、スイッチギヤ本体１０を含むスイッチギヤの具体的な使用形態を示す平面図を表している。電力変換機器１３を収容する主収納容器室１と並設された隣接収納容器室２の側面にコントロールセンタ５０を配置している。主収納容器室１とコントロールセンタ５０を母線接続するためには、主収納容器室１とコントロールセンタ５０との母線位置を合わせる必要がある。そのため隣接収納容器室２を配置し、コントロールセンタ５０との母線位置を合わせている。
【００１６】
この結果、隣接収納容器室２を介して、主収納容器室１とコントロールセンタ５０とを母線で接続することが可能となり、ケーブルで接続した場合よりも電流容量が増加し、コントロールセンタ５０の接続可能面数が増える。なお、隣接収納容器室２とコントロールセンタ５０とを締結して配置することで、列盤効果により耐震性が向上する。
【００１７】
図２は、この発明の実施の形態１に係るスイッチギヤ本体１０の全体構成を示している平面図である。スイッチギヤ本体１０は、主収納容器室１と隣接収納容器室２と電力変換機器１３などから構成されている。主収納容器室１には、大型機器として電力変換機器１３が搭載されている。隣接収納容器室２は、前側隣接収納容器副室２Ａと後側隣接収納容器副室２Ｂを備えている。大型機器である電力変換機器１３は、一次側コイル１３ａと二次側コイル１３ｂを備えている。
【００１８】
主収納容器室１には、図示を省略するが、電力変換機器１３の他に、中性点接地抵抗器（ＮＧＲ：Neutral Grounding Resistor）、コンデンサ、変成器（ＶＣＴ：Voltage and Current Transformer）などの大型機器が搭載される。中性点接地抵抗器（ＮＧＲ）は、接地変圧器の中性点に取り付けられて、地絡電流を抑制および検出する大型抵抗器のことである。変成器（ＶＣＴ）は、計器用変流器（ＣＴ：Current Transformer）と計器用変圧器（ＶＴ：Voltage Transformer）から構成されている。ユーザが使用した電力量を計測するための変成器である。
【００１９】
隣接収納容器室２は、主収納容器室１の一側（片側）の側方に隣接して配置されている。電力変換機器１３は、スイッチギヤ本体１０を構成する主収納容器室１の前側から、搬入する。主収納容器室１に収容されている変圧器などの電力変換機器１３は、一次側母線５ａと二次側母線５ｂ（１）が接続されている。電力変換機器１３の一次側母線５ａに入力された電力は、昇圧、降圧または変換されて、電力変換機器１３の二次側母線５ｂから出力される。
【００２０】
電力変換機器１３の二次側母線５ｂ（１）は、主回路１２で、隣接収納容器室２に収容されている延長母線５ｂ（２）と接続されている。変圧器などの大型の電力変換機器１３では、一次側コイル１３ａに入力した電力は、二次側コイル１３ｂで変換される。前側隣接収納容器副室２Ａには、スイッチギヤの制御線１４ａが接続されている制御用機器としての小型機器１４が搭載されている。後側隣接収納容器副室２Ｂには、二次側母線に相当する延長母線５ｂ（２）が収容されている。
【００２１】
図３は、この発明の実施の形態１に係る変圧器等の電力変換機器１３の構造を示している正面図である。図３に示されている電力変換機器１３では、一次側コイル１３ａに３相の交流電力が入力されると、二次側コイル１３ｂから、変換された電力が出力される。この電力は直流に変換されることもある。一次側コイル１３ａには、一次側母線５ａが接続されている。二次側コイル１３ｂには、二次側母線５ｂ（１）が接続されている。
この発明のスイッチギヤ本体１０は、外形や質量による制限はなく自由に選択できる。
【００２２】
スイッチギヤに隣接するコントロールセンタ５０の開閉器としてＭＣＣＢ（Molded Case Circuit Breaker）を採用している。ＭＣＣＢを採用したことで、単一の変圧器からパワーセンタを介すことなく、コントロールセンタを接続できる。従い、単一の変圧器を収納するスイッチギヤとコントロールセンタを並列に接続することが可能となり、スイッチギヤ配列全体での耐震性向上を可能としている。
ＭＣＣＢは、低圧気中遮断器や大型コンタクタと比較して小型であり、構造が簡易であることから、耐震性に優れる。コントロールセンタの開閉器としてＭＣＣＢを採用したことにより、低圧気中遮断器や大型コンタクタと比較して筐体の小型化が可能である。その結果、固有振動数が高く、耐震性の優れた筐体を採用できる。
【００２３】
なお、コントロールセンタ５０の開閉器はＭＣＣＢでなくとも、電路開閉可能であれば代替できる。また、列盤するコントロールセンタ５０においても、外形や質量による制限はなく自由に選択できる。さらに、上記実施の形態１では、隣接収納容器室２に隣接してコントロールセンタ５０を配置しているが、コントロールセンタ５０に代わり、筐体が強固な分電盤などの制御盤も接続可能である。
【００２４】
この発明のスイッチギヤ本体１０では、固定手段として溶接、ボルト止めを採用できる。また、この発明のスイッチギヤ本体１０は、チャンネルベースの有無にかかわらず適用できる。
【００２５】
また、上記実施の形態１では、スイッチギヤ本体１０とコントロールセンタ５０との間は母線接続としているが、大電流を必要としない回路においては、ケーブル接続としてもよい。
【００２６】
また、上記実施の形態１では、パワーセンタ不要の構成としているが、必要に応じてパワーセンタを仲介させることもできる。
【００２７】
この発明に係る実施の形態１におけるスイッチギヤは、図１に示す通り、電力変換機器１３を収容する主収納容器室１と、前記主収納容器室１の側方に隣接して配置された隣接収納容器室２とを備え、前記隣接収納容器室２と並設して前記主収納容器室１よりも剛性の高い筐体を有するコントロールセンタ５０からなる制御盤を配置するとともに、前記制御盤は前記隣接収納容器室２を介在して前記主収納容器室１と締結により一体に結合されることを特徴とする。
すなわち、変圧器等の大型の電力変換機器１３を搭載する盤外形の大きいスイッチギヤの構成を、前記大型の電力変換機器１３を収容する主収納容器室１と、前記主収納容器室１の側方に隣接して配置された隣接収納容器室２とから構成し、前記隣接収納容器室２の側面に、剛性の高い筐体を有するコントロールセンタ５０からなる制御盤を配置するようにしたことを特徴とする。前記隣接収納容器室２は、前記電力変換機器１３の二次側母線５ｂ（１）に相当する延長母線５ｂ（２）とコントロールセンタ５０からなる前記制御盤の母線位置を調整する機能を有するものである。
この構成により、電力変換機器１３を収容する主収納容器室１のコントロールセンタ５０からなる制御盤に対する接続関係を適切に確保した上で、主収納容器室１の補強をコントロールセンタ５０からなる制御盤との一体結合により着実に行うことができる。
すなわち、大型の電力変換機器１３を収容する主収納容器室１と、前記主収納容器室１の側方に隣接して配置された隣接収納容器室２とから構成し、前記隣接収納容器室２の側面に、剛性の高い筐体を有するコントロールセンタ５０からなる制御盤を配置するようにしたので、耐震性の高い盤でスイッチギヤを並列に接続する構造を採用している。その結果、盤配列全体としての耐震性向上が可能となるものである。
そして、前記隣接収納容器室２が前記電力変換機器１３の二次側母線５ｂ（１）に相当する延長母線５ｂ（２）とコントロールセンタ５０からなる前記制御盤の母線位置を調整する機能を有することにより主収納容器室１のコントロールセンタ５０からなる制御盤に対する接続関係は調整された母線結合によって確保される。
【００２８】
また、この発明に係る実施の形態１におけるスイッチギヤは、前項の構成において、図１に示す通り、コントロールセンタ５０からなる制御盤を互いに並設された複数の制御盤ユニット５０Ａ，５０Ｂ…で構成したことを特徴とする。
この構成により、コントロールセンタ５０からなる制御盤が電流容量に応じて複数の制御盤ユニット５０Ａ，５０Ｂ…で構成されることによって、コントロールセンタ５０からなる制御盤を電流容量に応じた適切な構成として容易に編成できる。
【００２９】
さらに、この発明に係る実施の形態１におけるスイッチギヤは、図２に示す通り、電力変換機器１３を収容する主収納容器室１と、前記主収納容器室１の側方に隣接して配置された隣接収納容器室２とを備え、前記隣接収納容器室２と並設して前記主収納容器室１よりも剛性の高い筐体を有するコントロールセンタ５０からなる制御盤を配置するとともに、前記制御盤は前記隣接収納容器室２を介在して前記主収納容器室１と締結により一体に結合されるものであって、前記隣接収納容器室２を、前側隣接収納容器副室２Ａと後側隣接収納容器副室２Ｂとから構成し、前記前側隣接収納容器副室２Ａには前記主収納容器室２に収容された前記電力変換機器１３を含む収納機器を制御する制御線１４ａを接続した制御用機器１４が収容され、前記後側隣接収納容器副室２Ｂには前記電力変換機器１３の二次側母線５ｂ（１）に相当する延長母線５ｂ（２）を収容するようにしたことを特徴とする。
この構成により、主収納容器室１についての補強をコントロールセンタ５０からなる制御盤との一体結合による剛性向上によって着実に行うことができるとともに、制御用機器の配置設定と電力変換機器を収容する主収納容器室１のコントロールセンタ５０からなる制御盤に対する接続確保とを適切な配置構成で実現できる。
【００３０】
実施の形態２．
この発明に係る実施の形態２におけるスイッチギヤについて、図４を参照して説明する。実施の形態１に係るスイッチギヤでは、主収納容器室１の一側（片側）の側方に隣接収納容器室２を配置している。この実施の形態２では、主収納容器室１の別側の側方にも隣接収納容器室２を配置している。左右に設けた隣接収納容器室２は、同じ構成を備えている。
【００３１】
主収納容器室１の両側に配置された隣接収納容器室２の各側面にコントロールセンタ５０を配置する。これにより、隣接収納容器室２を左右両側方に隣接して配置された主収納容器室１をコントロールセンタ５０で挟み込む構造となり、スイッチギヤ本体１０を含むスイッチギヤを構成する列盤全体としての剛性の向上がさらに見込める。また、コントロールセンタ５０を左右に分割して配置することで、コントロールセンタ５０の接続可能面数を増やすことが容易に可能となる。
隣接収納容器室２の各側面に配置されたコントロールセンタ５０からなる制御盤はそれぞれ複数の制御盤ユニット５０Ａ，５０Ｂ…で構成され、制御盤ユニット５０Ａ，５０Ｂ…の配置数は通電容量に応じて適宜選択される。
【００３２】
この発明に係る実施の形態２におけるスイッチギヤは、図４に示す通り、電力変換機器１３を収容する主収納容器室１と、前記主収納容器室１の側方に隣接して配置された隣接収納容器室２とを備え、前記隣接収納容器室２と並設して前記主収納容器室１よりも剛性の高い筐体を有するコントロールセンタ５０からなる制御盤を配置するとともに、前記制御盤は前記隣接収納容器室２を介在して前記主収納容器室１と締結により一体に結合されるものであって、前記隣接収納容器室２を前記主収納容器室の左右両側方に隣接して配置するとともに、前記両隣接収納容器室２，２の各側面に前記主収納容器室１よりも剛性の高い筐体を有するコントロールセンタ５０からなる前記制御盤を配置するようにしたことを特徴とする。
この構成により、電力変換機器１３を収容する主収納容器室１のコントロールセンタ５０からなる制御盤に対する接続関係を適切に確保した上で、主収納容器室１の左右両側方に並設した隣接収納容器室２の各側面に配置されたコントロールセンタ５０からなる制御盤との一体結合による剛性向上によって主収納容器室１の補強をより着実に行うことができる。
【００３３】
この発明に係る実施の形態２におけるスイッチギヤは、前項の構成において、図４に示す通り、コントロールセンタ５０からなる制御盤を互いに並設された複数の制御盤ユニット５０Ａ，５０Ｂ…で構成したことを特徴とする。
この構成により、主収納容器室１の左右両側方に並設した隣接収納容器室２，２の各側面に配置されるコントロールセンタ５０からなる制御盤が複数の制御盤ユニット５０Ａ，５０Ｂ…で構成されることによって、主収納容器室１の左右両側方に並設した隣接収納容器室２，２の各側面に配置されたコントロールセンタ５０からなる制御盤を通電容量に応じた適切な構成として容易に編成できる。
【００３４】
実施の形態３．
以下、この発明の実施の形態３に係るスイッチギヤについて、図５を参照して説明する。図５は、スイッチギヤ本体１０の具体的な使用方法例を示す上面図である。
実施の形態２に係るスイッチギヤでは、主収納容器室１の両側に隣接収納容器室２を配置し、コントロールセンタ５０を左右に１配列配置してコントロールセンタ５０で挟み込む構造としたが、実施の形態３では、図５に示すように、片側のコントロールセンタ５０の配置は、後方に配置することも可能である。このような構成とすることにより、片側を壁に隣接させることも可能となる。
【００３５】
ここでは、制御盤ユニット５０Ａ，５０Ｂ…で構成されるコントロールセンタ５０からなる制御盤が両隣接収納容器室２の各側面の一方に配置され、制御盤ユニット５０Ａ，５０Ｂ…で構成されるコントロールセンタ５０からなる制御盤が両隣接収納容器室２の前後面の一方に配置される。
このような構成によって、主収納容器室１および隣接収納容器室２ならびにコントロールセンタ５０からなる制御盤で構成されるスイッチギヤを片側が壁に隣接するような変形配置とすることができ、配置形態の多様性を実現できる。
【００３６】
この発明に係る実施の形態３におけるスイッチギヤは、図５に示す通り、電力変換機器１３を収容する主収納容器室１と、前記主収納容器室１の側方に隣接して配置された隣接収納容器室２とを備え、前記隣接収納容器室２と並設して前記主収納容器室１よりも剛性の高い筐体を有するコントロールセンタ５０からなる制御盤を配置するとともに、前記制御盤は前記隣接収納容器室２を介在して前記主収納容器室１と締結により一体に結合されるものであって、前記隣接収納容器室２を前記主収納容器室１の左右両側方に隣接して配置するとともに、前記両隣接収納容器室２の各側面の一方に前記主収納容器室１よりも剛性の高い筐体を有するコントロールセンタ５０からなる前記制御盤を配置し、前記両隣接収納容器室２の前後面の一方に前記主収納容器室１よりも剛性の高い筐体を有するコントロールセンタ５０からなる前記制御盤を配置したことを特徴とする。
この構成により、電力変換機器１３を収容する主収納容器室１のコントロールセンタ５０からなる制御盤に対する接続関係を適切に確保した上で、主収納容器室１の左右両側方に並設した隣接収納容器室２，２の各側面の少なくとも一方および前記両隣接収納容器室２，２の前後面の少なくとも一方に前記主収納容器室１よりも剛性の高い筐体を有するコントロールセンタ５０からなる前記制御盤を配置し、制御盤との一体結合による剛性向上によって主収納容器室の補強をより着実に行うことができるとともに、変形配置を可能として配置形態の多様性を実現できる。
【００３７】
この発明に係る実施の形態３におけるスイッチギヤは、前項の構成において、図５に示す通り、コントロールセンタ５０からなる制御盤を互いに並設された複数の制御盤ユニット５０Ａ，５０Ｂで構成したことを特徴とする。
この構成により、主収納容器室１の左右両側方に並設した隣接収納容器室２，２の各側面の少なくとも一方および前記両隣接収納容器室２，２の前後面の少なくとも一方に配置されるコントロールセンタ５０からなる制御盤が複数の制御盤ユニット５０Ａ，５０Ｂで構成されることによって、隣接収納容器室２，２の各側面の少なくとも一方および前記両隣接収納容器室２，２の前後面の少なくとも一方に配置されたコントロールセンタ５０からなる制御盤を電流容量に応じた適切な構成として容易に編成できる。
【００３８】
実施の形態４．
この発明に係る実施の形態４におけるスイッチギヤについて、図６を参照して説明する。図６は、スイッチギヤ本体１０を含むスイッチギヤの具体的な使用形態を示す平面図である。
実態の形態２に係わるスイッチギヤでは、主収納容器室１の両側に隣接収納容器室２を配置し、コントロールセンタ５０を左右に１配列配置した。より高い剛性が必要である場合には、図６のように、隣接収納容器室２の側面に隣接してコントロールセンタ５０を複数配列取り付けることで、耐震性をさらに向上することが可能となる。
また、隣接収納容器室２の側面にコントロールセンタ５０を２配列取り付けることで、この発明の実施の形態１〜３と比較してコントロールセンタ５０の接続可能面数を大きく増やすことが容易に可能となる。
【００３９】
ここでは、コントロールセンタ５０は主収納容器室１の左右両側方に隣接して配置された隣接収納容器室２，２の左右各側面における前方側に配置される制御盤ユニット配列Ｆ１Ｌおよび制御盤ユニット配列Ｆ１Ｒからなる第１の制御盤と、前記隣接収納容器室の各側面における後方側に配置される制御盤ユニット配列Ｂ２Ｌおよび制御盤ユニット配列Ｂ２Ｒからなる第２の制御盤とにより構成されている。制御盤ユニット配列Ｆ１Ｌ，Ｆ１Ｒは制御盤ユニット５０１Ａ，５０１Ｂ…で構成され、制御盤ユニット配列Ｂ２Ｌ，Ｂ２Ｒは制御盤ユニット５０２Ａ，５０２Ｂ…で構成される。
制御盤ユニット配列Ｆ１Ｌ，Ｆ１Ｒからなる第１の制御盤および制御盤ユニット配列Ｂ２Ｌ，Ｂ２Ｒからなる第２の制御盤の配置により、コントロールセンタ５０における制御盤ユニット５０１Ａ，５０１Ｂ…のユニット接続可能面数を大きく増やすことが容易に実現でき、剛性向上による補強によって耐震性をさらに向上することが可能となる。
【００４０】
この発明に係る実施の形態４におけるスイッチギヤは、図６に示す通り、電力変換機器１３を収容する主収納容器室１と、前記主収納容器室１の側方に隣接して配置された隣接収納容器室２とを備え、前記隣接収納容器室２と並設して前記主収納容器室１よりも剛性の高い筐体を有するコントロールセンタ５０からなる制御盤を配置するとともに、前記制御盤は前記隣接収納容器室２を介在して前記主収納容器室１と締結により一体に結合されるものであって、前記隣接収納容器室２を前記主収納容器室１の左右両側方に隣接して配置するとともに、前記両隣接収納容器室２，２の各側面に前記主収納容器室１よりも剛性の高い筐体を有するコントロールセンタ５０からなる前記制御盤を配置し、コントロールセンタ５０からなる前記制御盤を前記隣接収納容器室２の各側面における前方側に配置される第１の制御盤５０１と前記隣接収納容器室２の各側面における後方側に配置される第２の制御盤５０２とにより構成したことを特徴とする。
この構成により、電力変換機器１３を収容する主収納容器室１のコントロールセンタ５０からなる制御盤に対する接続関係を適切に確保した上で、主収納容器室１の左右両側方に並設した隣接収納容器室２，２の各側面の少なくとも一方および前記両隣接収納容器室２，２の前後面の少なくとも一方に前記主収納容器室１よりも剛性の高い筐体を有するコントロールセンタ５０からなる前記制御盤を配置し、コントロールセンタ５０からなる制御盤との一体結合による剛性向上によって主収納容器室１の補強をより着実に行うことができる。
【００４１】
この発明に係る実施の形態４におけるスイッチギヤは、前項の構成において、図６に示す通り、コントロールセンタ５０からなる第１および第２の制御盤５０１，５０２を互いに並設された複数の制御盤ユニット５０１Ａ，５０１Ｂおよび制御盤ユニット５０２Ａ，５０２Ｂでそれぞれ構成したことを特徴とする。
この構成により、前記隣接収納容器室２，２の各側面における前方側に配置される第１の制御盤５０１と前記隣接収納容器室２，２の各側面における後方側に配置される第２の制御盤５０２とにより構成されものであって、第１および第２の制御盤５０１，５０２が互いに並設された複数の制御盤ユニット５０１Ａ，５０１Ｂおよび制御盤ユニット５０２Ａ，５０２Ｂでそれぞれ構成されることによって、隣接収納容器室２，２の各側面における前方側および隣接収納容器室２，２の各側面における後方側に配置された第１および第２の制御盤５０１，５０２により構成されるコントロールセンタ５０からなる制御盤を電流容量に応じた適切な構成として容易に編成できる。
【００４２】
なお、この発明の範囲内において、実施の形態を自由に組み合わせたり、各実施の形態を適宜、変形、省略することが可能である。
【符号の説明】
【００４３】
１  主収納容器室、２  隣接収納容器室、２Ａ  前側隣接収納容器副室、２Ｂ  後側隣接収納容器副室、５ａ  一次側母線、５ｂ（１）  二次側母線、５ｂ（２）  延長母線、１０  スイッチギヤ本体、１３  電力変換機器、１３ａ  一次側コイル、１３ｂ  二次側コイル、１４  小型機器（制御用機器）、１４ａ  制御線、５０  コントロールセンタ。
【図１】
2018196189.tif 000003
【図２】
2018196189.tif 000004
【図３】
2018196189.tif 000005
【図４】
2018196189.tif 000006
【図５】
2018196189.tif 000007
【図６】
2018196189.tif 000008